(57)【要約】【課題】隠蔽秘匿したい画像を効果的に認識可能にすることにより有効なコミュニケーションを可能にするコミュニケーションカードシステムの提供。【解決手段】コミュニケーションカードシステム１０１は、第２のコミュニケーションカード２ａと、第２の情報処理システム３ａと、ユーザ端末装置５１とからなる。第２の情報処理システム３ａは、表示用の主映像データ中にコミュニケーションしようとする隠蔽映像データを合成し合成映像データに形成して提供できる。映像表示認識システム５は、主映像データを表示すると同時に隠蔽映像データを目視不能状態で表示するユーザー端末装置５１ａ及び端末装置５１ａに表示される隠蔽映像データによる隠蔽画像を目視で認識可能にする透過光学特性の光学媒体２３ａを備えた第２のコミュニケーションカード２ａにより顕在化する。【選択図】　　　　図１
2004078748.tif 000002
【特許請求の範囲】
【請求項１】
所定の文字、図形、記号などの標章とが印刷されたシートの一部にコミニュケーション用隠蔽画像が描画された光学媒体を設けた第１のコミュニケーションカードと、
情報入力画像データが送出可能となっており、かつ、送出後の情報入力画像データに書き込まれた収集情報を受信したときに、前記光学媒体内の隠蔽画像を顕在化させる色調を発色させる映像出力データを送信するとともに、前記取り込んだ収集情報を所定の手法で分類することができる第１の情報処理システムと、
各種情報を入力するための情報入力手段、情報入力画像データやその他の表示データを表示する表示手段及び各種制御や情報を処理する処理手段を有するユーザー端末装置とを備え、
当該第１のコミュニケーションカードを顧客に配布し、
前記第１のコミュニケーションカードまたは他の媒体で提示されたＵＲＬが入力された前記ユーザー端末装置は、前記第１の情報処理システムにアクセスし、所定の情報入力画面データを前記第１の情報処理システムから当該ユーザー端末装置に取込んで前記表示手段に表示させ、前記入力手段を介して当該情報入力画面に所定の情報が入力されたときに当該情報を前記第１の情報処理システムに送出し、
かつ、前記ユーザー端末装置は前記第１の情報発信処理装置から送られてくる映像出力データに基づいた色調を表示手段上に発色させることにより、前記第１のコミュニケーションカードの光学媒体内の隠蔽画像を目視にて認識可能な状態にして、顧客に第１のコミュニケーションカード介して所定の情報を提供できることを特徴とするコミュニケーションカードシステム。
【請求項２】
所定の文字、図形、記号などの標章とが印刷されたシートの一部にコミニュケーション用隠蔽画像が描画された光学媒体を設けた第１のコミュニケーションカードと、
情報入力画像データが送出可能となっており、かつ、送出後の情報入力画像データに書き込まれた収集情報を受信したときに、前記光学媒体内の隠蔽画像を顕在化させる色調を発色させる映像出力データを送信するとともに、前記取り込んだ収集情報を所定の手法で分類することができる第１の情報処理システムとを備え、
当該第１のコミュニケーションカードを顧客に配布し、
第１の情報処理システムは、所定の情報入力画面データを送出し、かつ、収集情報を受信したときには、所定の色調を発色させる映像出力データを送出し、前記第１のコミュニケーションカードの隠蔽画面と発色とで顧客とコミュニケーションを行うことができるようにしたことを特徴とするコミュニケーションカードシステム。
【請求項３】
所定の文字、図形、記号などの標章とが印刷されたシートの一部に隠蔽画像を目視にて認識可能にする透過光学特性を有する光学媒体を設けた第２のコミュニケーションカードと、
情報入力画像データが送出可能となっており、かつ、送出後の情報入力画像データに書き込まれた収集情報を受信したときに、表示用の主映像データ中に顧客に提示する隠蔽映像データを合成し、前記主映像データの画像のみを目視可能状態でかつ前記隠蔽映像データを目視不能状態で表示させる映像出力データを送信できるとともに、前記取り込んだ収集情報を所定の手法で分類することができる第２の情報発信処理手段と、
各種情報を入力するための情報入力手段、情報入力画像データやその他の表示データを表示する表示手段及び各種制御や情報を処理する処理手段を有するユーザー端末装置とを備え、
当該第２のコミュニケーションカードを顧客に配布し、
前記第２のコミュニケーションカードまたは他の媒体で提示されたＵＲＬが入力された前記ユーザー端末装置は、前記第２の情報処理システムをアクセスし、所定の情報入力画面データを前記第２の情報処理システムから当該ユーザー端末装置に取込んで前記表示手段に表示させ、前記入力手段を介して当該情報入力画面に所定の収集情報が入力されたときに当該収集情報を前記第２の情報処理システムに送出し、
かつ、前記ユーザー端末装置は前記第２の情報発信処理装置から送られてくる映像出力データを受信して主映像データを前記表示手段に表示すると同時に隠蔽映像データを目視不能状態で前記表示手段に表示して、前記表示手段上に表示されている隠蔽画像を前記第２のコミュニケーションカードで目視にて認識可能な状態にし、顧客に第２のコミュニケーションカードを介して所定の情報を提供でるようにしたことを特徴とするコミュニケーションカードシステム。
【請求項４】
所定の文字、図形、記号などの標章とが印刷されたシートの一部に隠蔽画像を目視にて認識可能にする透過光学特性を有する光学媒体を設けた第２のコミュニケーションカードと、
情報入力画像データが送出可能となっており、かつ、送出後の情報入力画像データに書き込まれた収集情報を受信したときに、表示用の主映像データ中に顧客に提示する隠蔽映像データを合成し、前記主映像データの画像のみを目視可能状態でかつ前記隠蔽映像データを目視不能状態で表示させる映像出力データを送信できるとともに、前記取り込んだ収集情報を所定の手法で分類することができる第２の情報発信処理手段とを備え、
当該第２のコミュニケーションカードを顧客に配布し、
前記第２の情報処理システムは、所定の情報入力画面データを送出し、かつ、収集情報が受信したときに、前記映像出力データを送出し、前記第２のコミュニケーションカードと隠蔽画面とで顧客とコミュニケーションを行うことができるようにしたことを特徴とするコミュニケーションカードシステム。
【発明の詳細な説明】
【０００１】
【発明の属する技術分野】
本発明は、隠蔽画面とそれを顕在化するツールによって顧客とコミュニケーションできるコミュニケーションカードシステムに関するものである。
【０００２】
さらに詳しくは、本発明は、コミュニケーションカードと、ユーザー端末装置とを使用し、隠蔽された画面を目視可能にすることにより、低コストで最大限のパフォーマンスを上げることのできるマーケッティングを行うための手法を構築できる拡張性の高いコミュニケーションカードシステムに関するものである。
【０００３】
【従来の技術】
従来より、各種事業者は、市場調査や会員獲得をするために、各種のマーケティングツール等を駆使してマーケティングを行っていることは、周知のとおりである。
【０００４】
ここで、マーケティングツールの一つとして、パンフレットを利用したマーケティングについて説明する。すなわち、事業者は例えばＵＲＬ（Ｕｎｉｆｏｒｍ　Ｒｅｓｏｕｃｅ　Ｌｏｃａｔｏｒ；インターネット上に存在する情報にアクセスする手順及び所在を記述する規格）を記述したパンプレットを顧客に配布する。当該顧客は、このパンフレットに記載されたＵＲＬをユーザー端末装置に入力することにより事業者のウエブサイトへアクセスする。当該事業者は、前記アクセス時に顧客の情報を収集することにより、市場調査や会員獲得などをしている（第１の従来技術）。
【０００５】
次に、マーケティングツールの一つとして、ダイレクトメールを利用したマーケティングについて説明する。すなわち、事業者は、上述同様にＵＲＬを記載したダイレクトメールを顧客に郵送などする。顧客は、ダイレクトメールに記載されたＵＲＬをユーザー端末装置に入力することにより事業者のウエブサイトへアクセスする。事業者は、前記アクセス時に顧客の情報を収集することにより、市場調査や会員獲得などをしている（第２の従来技術）。
【０００６】
さらに、マーケティングツールの一つとして、ＣＤ（コンパクト・ディスク）を利用したマーケティングについて説明する。　すなわち、事業者は、また、当該マーケティングツールの他の方法としては、上述同様にＵＲＬを記述したＣＤを顧客に郵送や配布する。顧客は、当該ＣＤをユーザー端末装置に読み込ませることにより、事業者のウエブサイトへアクセスする。事業者は、前記アクセス時に顧客の情報を収集することにより、市場調査や会員獲得などをしている（第３の従来技術）。この場合、ＵＲＬの手作業による入力作業が省けるので、パンフレットやダイレクトメールよりもアクセス率がアップすることが期待されている。
【０００７】
【発明が解決しようとする課題】
しかしながら、上述した第１の従来技術によれば、１）類似のものが多くて目新しさがない、２）パンフレット配布をするために人件費がかかる、３）配布するツールにはＵＲＬの告知のみで、そのツール自体に何らの機能がなく、それゆえ、いつも代わり映えがせず、顧客の興味を惹かない、などの欠点があった。
【０００８】
また、上述した第２の従来技術によれば、１）回収率が低い、２）ウエブサイトへのアクセスが少ない、３）事業者はダイレクトメールを出すために、多くの労力を費やしている割には利点が少ない、などの欠点があった。さらに、事業者のウエブサイトと店舗、また、商品サービスの再誘導などの融合が図れていない。
【０００９】
加えて、上述した第３の従来技術によれば、１）ＣＤを作成し、これを郵送や配布するため、多大なコストがかかる、２）アクセス数は上記第１の従来技術や第２の従来技術よりも増加しているが、顧客登録などにつながらない、という欠点があった。
【００１０】
本発明は、上述した欠点を解消し、効率的なウエブサイトへの誘導ができ、顧客データベースを容易に構築でき、しかも、店舗や購入した商品とウエブサイトの融合などが可能なコミュニケーションカードシステムを提供することを目的としている。
【００１１】
【課題を解決するための手段】
上記目的を達成するため、請求項１記載の発明は、所定の文字、図形、記号などの標章とが印刷されたシートの一部にコミニュケーション用隠蔽画像が描画された光学媒体を設けた第１のコミュニケーションカードと、
情報入力画像データが送出可能となっており、かつ、送出後の情報入力画像データに書き込まれた収集情報を受信したときに、前記光学媒体内の隠蔽画像を顕在化させる色調を発色させる映像出力データを送信するとともに、前記取り込んだ収集情報を所定の手法で分類することができる第１の情報処理システムと、
各種情報を入力するための情報入力手段、情報入力画像データやその他の表示データを表示する表示手段及び各種制御や情報を処理する処理手段を有するユーザー端末装置とを備え、
当該第１のコミュニケーションカードを顧客に配布し、
当該第１のコミュニケーションカードまたは他の媒体で提示されているＵＲＬが入力された前記ユーザー端末装置は、前記第１の情報処理システムにアクセスし、所定の情報入力画面データを前記第１の情報処理システムから当該ユーザー端末装置に取込んで前記表示手段に表示させ、前記入力手段を介して当該情報入力画面に所定の情報が入力されたときに当該情報を前記第１の情報処理システムに送出し、
かつ、前記ユーザー端末装置は前記第１の情報発信処理装置から送られてくる映像出力データに基づいた色調を表示手段上に発色させることにより、前記第１のコミュニケーションカードの光学媒体内の隠蔽画像を目視にて認識可能な状態にして、顧客に第１のコミュニケーションカードを介して所定の情報を提供できることを特徴とする。
【００１２】
上記目的を達成するため、請求項２記載の発明は、所定のＵＲＬと、所定の文字、図形、記号などの標章とが印刷されたシートの一部にコミニュケーション用隠蔽画像が描画された光学媒体を設けた第１のコミュニケーションカードと、
情報入力画像データが送出可能となっており、かつ、送出後の情報入力画像データに書き込まれた収集情報を受信したときに、前記光学媒体内の隠蔽画像を顕在化させる色調を発色させる映像出力データを送信するとともに、前記取り込んだ収集情報を所定の手法で分類することができる第１の情報処理システムとを備え、
当該第１のコミュニケーションカードを顧客に配布し、
第１の情報処理システムは、所定の情報入力画面データを送出し、かつ、収集情報を受信したときには、所定の色調を発色させる映像出力データを送出し、前記第１のコミュニケーションカードの隠蔽画面と発色とで顧客とコミュニケーションを行うことができるようにしたことを特徴とする。
【００１３】
上記目的を達成するために、請求項３記載の発明は、所定の文字、図形、記号などの標章とが印刷されたシートの一部に隠蔽画像を目視にて認識可能にする透過光学特性を有する光学媒体を設けた第２のコミュニケーションカードと、
情報入力画像データが送出可能となっており、かつ、送出後の情報入力画像データに書き込まれた収集情報を受信したときに、表示用の主映像データ中に顧客に提示する隠蔽映像データを合成し、前記主映像データの画像のみを目視可能状態でかつ前記隠蔽映像データを目視不能状態で表示させる映像出力データを送信できるとともに、前記取り込んだ収集情報を所定の手法で分類することができる第２の情報発信処理手段と、
各種情報を入力するための情報入力手段、情報入力画像データやその他の表示データを表示する表示手段及び各種制御や情報を処理する処理手段を有するユーザー端末装置とを備え、
当該第２のコミュニケーションカードを顧客に配布し、
当該第２のコミュニケーションカードまたは他の媒体で提示されているＵＲＬが入力された前記ユーザー端末装置は、前記第２の情報処理システムをアクセスし、所定の情報入力画面データを前記第２の情報処理システムから当該ユーザー端末装置に取込んで前記表示手段に表示させ、前記入力手段を介して当該情報入力画面に所定の収集情報が入力されたときに当該収集情報を前記第２の情報処理システムに送出し、
かつ、前記ユーザー端末装置は前記第２の情報発信処理装置から送られてくる映像出力データを受信して主映像データを前記表示手段に表示すると同時に隠蔽映像データを目視不能状態で前記表示手段に表示して、前記表示手段上に表示されている隠蔽画像を前記第２のコミュニケーションカードで目視にて認識可能な状態にし、顧客に第２のコミュニケーションを介して所定の情報を提供でるようにしたことを特徴とする。
【００１４】
上記目的を達成するために、請求項４記載の発明は、所定の文字、図形、記号などの標章とが印刷されたシートの一部に隠蔽画像を目視にて認識可能にする透過光学特性を有する光学媒体を設けた第２のコミュニケーションカードと、
情報入力画像データが送出可能となっており、かつ、送出後の情報入力画像データに書き込まれた収集情報を受信したときに、表示用の主映像データ中に顧客に提示する隠蔽映像データを合成し、前記主映像データの画像のみを目視可能状態でかつ前記隠蔽映像データを目視不能状態で表示させる映像出力データを送信できるとともに、前記取り込んだ収集情報を所定の手法で分類することができる第２の情報発信処理手段とを備え、
当該第２のコミュニケーションカードを顧客に配布し、
前記第２の情報処理システムは、所定の情報入力画面データを送出し、かつ、収集情報が受信したときに、前記映像出力データを送出し、前記第２のコミュニケーションと隠蔽画面とで顧客とコミュニケーションを行うことができるようにしたことを特徴とする。
【００１５】
【発明の実施の形態】
以下、本発明の実施の形態について図面を参照して説明する。
【００１６】
［第１の発明の基礎］
図１ないし図２は本第１の発明の基礎に係るコミュニケーションカードシステムを説明するためのものである。ここで、本第１の発明とは、ユーザー端末装置の表示手段を所定の色調で発色させることにより、第１のコミュニケーションカードの光学媒体内の隠蔽画像を目視にて認識可能な状態にし、顧客に第１のコミュニケーションの光学媒体内にある所定の情報を提供できるようにしたシステムのことをいう。
【００１７】
図１は、本第１の発明の基礎に係るコミュニケーションカードシステムを示すブロック図である。
【００１８】
図１において、本第１の発明の基礎に係るコミュニケーションカードシステム１は、大別すると、第１のコミュニケーションカード２と、第１の情報処理システム３と、映像表示認識システム５，５，…とからなる。前記第１の情報処理システム３は、インターネットなど通信を行なうことができる通信系統４を介して各映像表示認識システム５，５，…に接続されている。
【００１９】
前記第１のコミュニケーションカード２は、事業者（以下、「情報発信者」という）が用意し、当該情報発信者が当該第１のコミュニケーションカード２をユーザーに対して頒布するものとする（以下、同様とする）。なお、図１では、符号ｈで示す点線により、情報発信者が第１のコミュニケーションカード２を顧客（以下、「ユーザー」という）に頒布している状態を表示しているものとする。
【００２０】
また、前記第１のコミュニケーションカード２の表面には、上述したＵＲＬと、所定の文字、図形、記号などの標章（具体的には、例えば「カードの名称」、「カード発行会社名」、「カードの説明」、「チェックビット番号（図では、ラッキーナンバーと表記されている）」など）とが印刷表示されているものとする。この第１のコミュニケーションカード２に印刷表示されているチェックビット番号は、当該第１のコミュニケーションカード２の一枚毎に内容が異なるように設定されているものとする（以下、同じ）。なお、チェックビット番号については、公知の技術を使用し、説明を省略する。
【００２１】
また、情報発信者は、上記第１のコミュニケーションカード２と、第１の情報処理システム３とを使用し、前記第１のコミュニケーションカード２の当該チェックビット番号と前記第１の情報処理システム３から発信される映像出力データとにより、コミュニケーションを行なえるようにしたものである。
【００２２】
ここで、第１の情報処理システム３は、例えば、映像発信サーバー３１と、この映像発信サーバー３１に情報を設定する情報設定手段３２と、受信情報処理手段３３とからなる。
【００２３】
上記情報設定手段３２は、前記第１のコミュニケーションカード２の光学媒体の使用方法を説明する図面や説明文や、前記第１のコミュニケーションカード２の光学媒体内の隠蔽画像を顕在化させる色調を発色させるデータ等の情報を入力できるようになっていて、当該入力された情報を映像発信サーバー３１に供給できるようになっている。
【００２４】
前記映像発信サーバー３１は、情報設定手段３２に入力し設定された情報を基に、情報入力画像データが送出可能となっていて、かつ、送出後の情報入力画像データに書き込まれた収集情報を受信したときに、前記第１のコミュニケーションカード２の光学媒体の使用方法を説明する図面や説明文や、第１のコミュニケーションカード２内の隠蔽画像を顕在化させる色調を発色させる映像出力データを通信系統４に送信できる。
【００２５】
前記受信情報処理手段３３は、映像表示認識システム５から通信系統４を介して送られてくる情報を受信したときに（送出後の情報入力画像データに書き込まれた収集情報を受信したときに）、前記取り込んだ収集情報を所定の手法で分類することができる。また、受信情報処理手段３３は、前記第１のコミュニケーションカード２に印刷表示されているチェックビット番号の情報が映像表示認識システム５、通信系統４を介して送られてきたときに、当該チェックビット番号の情報を基に、抽選等を行ってその結果を通信系統４を介して当該映像表示認識システム５に送出できる。
【００２６】
また、上記映像表示認識システム５は、図１に示すように、前記情報処理システム３の映像発信サーバー３１からの映像出力データに基づいた色調を発色するユーザー端末装置５１を備え、前記ユーザー端末装置５１に表示されている色調に前記第１のコミュニケーションカード２の光学媒体をかざすことにより前記第１のコミュニケーションカード２の光学媒体内の隠蔽画像を目視にて認識可能にするものである。このユーザー端末装置５１は、例えばユーザーが使用できる状態にあるパーソナルコンピュータ（以下、「パソコン」という）であれば、自己所有や他人所有のものであってもよい。また、このユーザー端末装置５１は、当然、各種情報を入力するための情報入力手段と、情報入力画像データやその他の表示データを表示する表示手段と、各種制御や情報を処理する処理手段とを備えている必要がある。なお、ユーザー端末装置５１の他の例としては、上記パソコン以外に、上記通信系統４に接続可能な各種コンピュータを挙げることができる。
【００２７】
この場合にも、映像発信サーバー３１は、情報発信者の所有であっても所有でなくてもよい。要は、情報発信者とユーザーとが、第１のコミュニケーションカード２を通じてコミュニケーションを行なうことができるものであればよい。
【００２８】
さらに、上記ユーザー端末装置５１としては、モバイル端末や携帯電話を挙げることができるが、この場合の映像発信サーバー３１は電気通信事業者の設置する情報発信サーバーが相当する。加えて、上記ユーザー端末装置５１としては、双方向通信が可能な通信カラオケ装置や、双方向通信が可能なＣＡＴＶ受信装置や、双方向通信が可能なテレビジョン受像機などが挙げられるが、この場合の情報処理システム３の情報送信部分は、送信所に設置された送信機が相当することになる。
【００２９】
図２は、本第１の発明の基礎に係るコミュニケーションカードシステムで使用する第１のコミュニケーションカードの構成を示す平面図である。
【００３０】
この第１のコミュニケーションカード２は、図２に示すように、例えば紙やプラスチックなどの薄い平板状の基材で構成したシート２１の表面に、所定の文字、図形、記号などの標章（「カードの名称」、「カード発行会社」、「会社やイメージのロゴ」、「ＵＲＬ」、「チェックビット番号（図では、ラッキーナンバーと表記）」、「背景模様」、「その他」）が印刷表示されている。なお、前記各標章の中で、符号２２はチェックビット番号を表すものとする。当該シート２１の表面の図示下部に印刷表示されているチェックビット番号２２は、当該第１のコミュニケーションカード２に一枚毎に内容が異なるように設定されている。
【００３１】
また、前記第１のコミュニケーションカード２は、図２に示すように、シート２１の一部に、所定の面積を有する光学媒体２３を配置している。この光学媒体２３には、コミュニケーション（伝達）しようとする隠蔽画像が描画されている。前記光学媒体２３は、透明あるいは半透明のフィルムやアクリルやプラスチックやビニールなどの透過性のある薄板の上に、所定のインクで隠蔽画像を設け、その隠蔽画像上に異なる色のインクで他の画像を設けた構成になっている。
【００３２】
さらに、前記第１のコミュニケーションカード２には、図２に示すように、シート２１の図示上下部に、ＵＲＬ２４，２５が印刷されている。
【００３３】
なお、当該第１のコミュニケーションカード２の光学媒体２３に設けられた隠蔽画像は、ユーザー端末装置５１で表示される色調と補色の関係になるように設定されている。この補色の関係になる設定は、ユーザーには分からないようになっている。
【００３４】
このように構成した本第１の発明に係るコミュニケーションカードシステム、このコミュニケーションカードシステムに使用する情報処理システム及び映像表示認識システムの動作を、図１及び図２を参照して説明する。
【００３５】
まず、情報発信者は、あらかじめ定めた処理手順にしたがって、所定のコミュニケーション（伝達）したい内容に従って、上述したような構成の第１のコミュニケーションカード２を作成しておくものとする。
【００３６】
ついで、情報発信者は、当該第１のコミュニケーションカード２の使用の方法についての図や説明文や解説の音声データ等の情報を、情報処理システム３の情報設定手段３２に設定する。同様に、当該第１のコミュニケーションカード２の隠蔽画像を顕在化させる色調の情報を、情報処理システム３の情報設定手段３２に設定する。
【００３７】
これにより、情報処理システム３の映像発信サーバー３１は、当該第１のコミュニケーションカード２の使用方法に関する映像出力データ、あるいは、当該第１のコミュニケーションカード２の隠蔽画像を顕在化させる色調の情報を、ユーザー端末装置５１に送信可能になる。
【００３８】
次に、情報発信者は、第１のコミュニケーションカード２をユーザーに配布する（図１の符号ｈ参照）。
【００３９】
ユーザーは、ユーザー端末装置５１の例えばブラウザに、前記第１のコミュニケーションカード２に記載されているＵＲＬ２４，２５を入力し、情報処理システム３の映像発信サーバー３１にアクセスして、情報入力画像データと、第１のコミュニケーションカード２の使用の仕方に関するデータとをユーザー端末装置５１に取り込む。これにより、ユーザー端末装置５１は、音声や映像により、第１のコミュニケーションカード２の使用の仕方が提示されるとともに、情報入力画像が表示手段に表示される。
【００４０】
ユーザーは、ユーザー端末装置５１のディスプレイ上の画面を見て当該第１のコミュニケーションカード２の使用方法を理解できる。
【００４１】
また、ユーザーは、ユーザー端末装置５１の入力手段を使用し、当該情報入力画像データに表示された入力窓に必要事項を書き込むことによって、第１の情報処理システム３の受信情報処理手段３３に当該情報を与える。これにより、受信情報処理手段３３は、映像発信サーバー３１に指令を出し、当該第１のコミュニケーションカード２の光学媒体２３の隠蔽画像を顕在化させる映像出力データを映像表示認識システム５のユーザー端末装置５１に送出する。
【００４２】
これにより、ユーザー端末装置５１の表示手段（以下、「ディスプレイ」という）は、前記第１のコミュニケーションカード２の光学媒体２３の隠蔽画像を顕在化させる色調で発色することになる。
【００４３】
ユーザーは、第１のコミュニケーションカード２の光学媒体２３部分を、ユーザー端末装置５１のディスプレイ上に当接させる。これにより、第１のコミュニケーションカード２の光学媒体２３に設けられた隠蔽画像は、前記ユーザー端末装置５１のディスプレイ上に発色している色調と補色関係が成立することになって顕在化する。したがって、ユーザーは第１のコミュニケーションカード２の光学媒体２３に設けられた隠蔽画像を認識することができる。上述したように第１のコミュニケーションカード２の光学媒体２３に設けた隠蔽画像は顕在し、例えば「当たり」というような文字として現れることになる。
【００４４】
このときに、第１のコミュニケーションカード２のシート２１上に印刷表示されているチェックビット番号２２の情報を、ユーザーは、ユーザー端末装置５１を介して情報処理システム３の受信情報処理手段３３に送信する。このときに、ユーザー端末装置５１からは、当該第１のコミュニケーションカード２のチェックビット番号２２の情報の他に、入力した情報、端末装置番号や顧客ＩＤ等も同時に送信されるものとする。
【００４５】
上記第１の情報処理システム３の受信情報処理手段３３では、ユーザー端末装置５１から送られてきた第１のコミュニケーションカード２のチェックビット番号２２に関する情報を基に、抽選等の処理をする。このとき、情報処理システム３の受信情報処理手段３３は、同一の第１のコミュニケーションカード２によるチェックビット番号２２の情報が２度送られてきたときには、受信を拒否できるうように設定されている。情報処理システム３の受信情報処理手段３３は、上記抽選等の処理した結果を、再び、ユーザー端末装置５１に送出する。
【００４６】
ユーザーは、ユーザー端末装置５１に表示された、受信情報処理手段３３から受信した情報を基に、例えばクイズに当選したことを知ることができたり、所望の商品情報を得ることができたりすること知ることができる。
【００４７】
なお、第１の情報処理システム３の受信情報処理手段３３は、当該第１のコミュニケーションカード２のチェックビット番号２２に基づく情報や、端末装置番号や、顧客ＩＤ等により各種の情報処理をすることができる。この受信情報処理手段３３による情報処理は、例えば、顧客管理や、顧客の嗜好動向や、その他、顧客に関する情報についての内容である。
【００４８】
このような本第１の発明の基礎によれば、第１のコミュニケーションカード２の光学媒体２３に設けられた隠蔽映像を、ユーザー端末装置５１のディスプレイ上に表示された所定の色調の発色が存在するときにのみに認識可能になるため、隠蔽秘匿したい情報の秘匿度が高くなる。
【００４９】
また、本第１の発明の基礎によれば、第１のコミュニケーションカード２の光学媒体２３上に設ける隠蔽画像と、映像出力データとの関係は、映像情報発信者側で任意に作成できるため、隠蔽秘匿したい情報の秘匿度が高くなる。
【００５０】
加えて、上記第１の実施の形態によれば、　隠蔽秘匿したい画像を効果的に認識可能にすることができる。
【００５１】
［第２の発明の基礎］
図３ないし図６は本第２の発明の基礎に係るコミュニケーションカードシステムを説明するためのものである。ここで、本第２の発明とは、ユーザー端末装置で受信した主映像データを前記表示手段に表示すると同時に隠蔽映像データを目視不能状態で前記表示手段に表示し、前記表示手段上に表示されている隠蔽画像を前記第２のコミュニケーションカードで目視にて認識可能な状態にし、顧客に第２のコミュニケーションを介して所定の情報を提供でるようにしたシステムのことをいう。
【００５２】
図３は、本第２の発明の基礎に係るコミュニケーションカードシステムを示すブロック図である。
【００５３】
この図３において、本第２の発明の基礎に係るコミュニケーションカードシステム１ａは、大別すると、第２のコミュニケーションカード２ａと、第１の情報処理システム３ａと、映像表示認識システム５ａ，５ａ，…とからなる。前記第２の情報処理システム３ａは、インターネットなど通信を行なうことができる通信系統４ａを介して各映像表示認識システム５ａ，５ａ，…に接続されている。
【００５４】
前記第２のコミュニケーションカード２ａは情報発信者が用意し、当該情報発信者が当該第２のコミュニケーションカード２ａをユーザーに対して頒布する。なお、この図３では、符号ｈで示す点線により、情報発信者が第２のコミュニケーションカード２ａをユーザーに頒布している状態を表示しているものとする。
【００５５】
また、前記第２のコミュニケーションカード２ａの表面には、ＵＲＬやチェックビット番号（ラッキーナンバー）やその他の文字、図形、記号などの標章が印刷表示されているものとする。この第２のコミュニケーションカード２ａに印刷表示されているチェックビット番号は、上記第１の発明の基礎と同様に、当該第２のコミュニケーションカード２ａの一枚毎に内容が異なるように設定されている。ここで、第２の情報処理システム３ａは、例えば、映像発信サーバー３１ａと、この映像発信サーバー３１ａに情報を設定する情報設定手段３２ａと、受信情報処理手段３３ａとからなる。
【００５６】
前記第２の情報処理システム３ａの映像発信サーバー３１ａは、表示用の主映像データ中にコミュニケーションしようとする隠蔽映像データを合成し、前記主映像データの画像のみを目視可能状態でかつ前記隠蔽映像データを目視不能状態で表示させる映像出力データを送信できるようになっている。
【００５７】
前記第２の情報処理システム３ａの情報設定手段３２ａは、前記第２のコミュニケーションカード２ａの光学媒体の使用方法を説明する図面、説明文及び音声データや、前記コミュニケーションしようとする隠蔽映像データの情報を入力できるようになっていて、当該入力された情報を映像発信サーバー３１ａに供給できるようになっている。
【００５８】
また、第２の情報処理システム３ａの受信情報処理手段３３ａは、上記第１の情報処理システム３の受信情報処理手段３３と同じように動作でき、かつ、当該第２のコミュニケーションカード２ａ　のチェックビット番号に基づく情報や、端末装置番号や、顧客ＩＤ等により各種の情報処理をすることができる。この受信情報処理手段３３ａによる情報処理は、例えば、顧客管理や、顧客の嗜好動向や、その他、顧客に関する情報についての内容である。
【００５９】
また、上記映像表示認識システム５ａは、図３に示すように、ユーザーが所有し、目視不能な隠蔽映像データによる隠蔽画像及び主映像データによる主画像を表示するユーザー端末装置５１ａを具え、前記情報発信者から配布された第２のコミュニケーションカード２ａを前記ユーザー端末装置５１ａの画面にかざすことにより、隠蔽画像を顕在化できるようになっている。ここで、前記第２のコミュニケーションカード２ａの光学媒体は、隠蔽映像データによる隠蔽画像または背景の色との間で補色の関係が成立する透過光学特性を持たせた媒体から構成したものである。
【００６０】
このユーザー端末装置５１ａとしては、隠蔽画像及び主画像を表示できるディスプレイと、所定の情報を入力できるキーボード等の入力手段を備えた装置を採用した構成とすればよい。
【００６１】
また、ユーザー端末装置５１ａの他の例としては、パソコン以外に、上記通信系統４ａに接続可能な各種コンピュータを挙げることができる。
【００６２】
上記ユーザー端末装置５１ａとしては、モバイル端末や携帯電話を挙げることができるが、この場合の映像発信サーバー３１ａは電気通信事業者の設置する情報発信サーバーが相当する。加えて、上記ユーザー端末装置５１ａとしては、双方向通信が可能な通信カラオケ装置や、双方向通信が可能なＣｂＴＶ受信装置や、双方向通信を行なうことができるテレビジョン受像機などが挙げられるが、この場合では、映像発信サーバー３１ａは、送信所に設置された送信機が相当することになる。
【００６３】
図４は、本第２の発明の基礎に係るコミュニケーションカードシステムで使用するコミュニケーションカードの構成を示す平面図である。
【００６４】
この第２のコミュニケーションカード２ａは、図４に示すように、例えば紙やプラスチックなどの薄い平板状をした基材で構成したシート２１ａの一部に、所定の面積を有する光学媒体２３ａを配置してなる構成をしている。前記第２のコミュニケーションカード２ａのシート２１ａの表面には、図４に示すように、必要に応じて標章（例えば、チェックビット番号２２ａやＵＲＬ２４ａ，２５ａやその他カードの名称やロゴなど）を印刷しておく。
【００６５】
また、第２のコミュニケーションカード２ａの一部に設けられた光学媒体２３ａは、前記ユーザー端末装置５１ａに表示された画像のうち、隠蔽映像データによる隠蔽画像または背景の色との間で補色の関係が成立する透過光学特性を持たせた透過媒体から構成したものである。すなわち、光学媒体２３ａは、透明のフィルムやアクリル薄板などの薄板基板に色の補色関係を保つ透過性の塗料を特殊コーティングして構成したものである。
【００６６】
このように構成した第２の発明の基礎に係るコミュニケーションカードシステム、このコミュニケーションカードシステムに使用する第２の情報処理システム及び映像表示認識システムの動作を、図３及び図４を基に、図５及び図６を参照して説明する。
【００６７】
ここで、図５（ａ）は本第２の発明の基礎に係る第２の情報処理システムで使用するに第２のコミュニケーションを示す図であり、図５（ｂ）は、本第２の発明の基礎に係る第２の情報処理システムが発信する合成映像データを映像表示認識システムのディスプレイによって表示した合成画像の例を示す説明図である。図６は、本第２の発明の基礎において、映像表示認識システムのディスプレイに第２のコミュニケーションカードをかざした結果、ディスプレイ上に表示された合成画像の中に隠蔽画面が顕在化した状態を示す説明図である。
【００６８】
まず、情報発信者側では、あらかじめ定めた処理手順にしたがって、所定のコミュニケーションしたい内容について、第２のコミュニケーションカード２ａを作成しておく。
【００６９】
ついで、情報発信者側では、当該第２のコミュニケーションカード２ａの使用の方法に関する情報と、隠蔽画像に関する情報とを、前記情報設定手段３２ａを介して映像発信サーバー３１ａに入力しておく。
【００７０】
情報発信者は、ユーザーに対して、第２のコミュニケーションカード２ａを配布しておく（図３の符号ｈ参照）。
【００７１】
ユーザーは、ユーザー端末装置５１ａのブラウザに、前記第２のコミュニケーションカード２ａを入力し、ユーザー端末装置５１ａから第２の情報処理システム３ａの映像発信サーバー３１ａに接続し、第２のコミュニケーションカード２ａの使用の仕方の画像データと、情報入力画像データとを取得する。ユーザーは、ユーザー端末装置５１ａのディスプレイに表示された映像やスピーカから聞こえる音声などから、第２のコミュニケーションカード２ａの使用の仕方を理解する。
【００７２】
しかる後に、ユーザーは、入力手段を使用し、ユーザー端末装置５１ａのディスプレイに表示されている情報入力画像に必要な情報を入力し、送信ボタンを押す。すると、ユーザー端末装置５１ａは、当該情報入力画像の収集データを受信情報処理手段３３ａに送信する。受信情報処理手段３３ａは、当該収集情報を取り込むと映像発信サーバー３１ａに指示し、映像発信サーバー３１ａから映像出力データをユーザー端末装置５１ａに送出する。
【００７３】
これにより、ユーザー端末装置５１ａには、前記映像発信サーバー３１ａから当該隠蔽映像データを主映像データに合成した映像出力データを得ることができる。
【００７４】
これにより、上記ユーザー端末装置５１ａのディスプレイには、図５（ｂ）に示すように、合成映像データ内の主映像データによる主画像９０が表示される。この主画像９０の内部には、図５（ｂ）に示すように、当該主画像９０によって隠蔽された隠蔽画像９１が表示されているが、そのままでは目視不能である。
【００７５】
ユーザーは、図５（ａ）から図５（ｂ）に示す符号Ｐのように、あらかじめ配布された第２のコミュニケーションカード２ａの光学媒体２３ａ部分を当該主画像９０の隠蔽画像９１の部分に当接する。これにより、映像表示認識システム５ａ　のユーザー端末装置５１ａのディスプレイ上には、図６に示すように、第２のコミュニケーションカード２ａの光学媒体２３ａを当接した部分に、コミュニケーションしようとした情報が顕在画像９２として現れてくることになる。
【００７６】
この第２の発明の基礎では、顕在画像９２としては、図６に示すように例えば「３０％ＯＦＦ」のような文字が現れてくることになる。この顕在画像９２が現れる理由は、図６に示す主画像９０の隠蔽画像９１の部分の文字の色と、上記第２のコミュニケーションカード２ａの光学媒体２３ａの色とが補色の関係に保たれるように設定されていることから、文字部分が例えば黒色となって顕在化するものである。
【００７７】
このように上記第２のコミュニケーションカード２ａによって、ユーザー端末装置５１ａのディスプレイ上に表示されたコミュニケーションしようとした情報を、ユーザーに認識させることができる。
【００７８】
ユーザーは、第２のコミュニケーションカード２ａのチェックビット番号２２ａを、ユーザー端末装置５１ａから第２の情報処理システム３ａの受信情報処理手段３３ａに送信する。
【００７９】
この第２のコミュニケーションカード２ａのチェックビット番号２２ａは、受信情報処理手段３３ａにおいて例えば抽選処理等される。受信情報処理手段３３ａにおいて処理結果は、通信系統４ａを介してユーザー端末装置５１ａに与えられる。
【００８０】
したがって、ユーザーは、ユーザー端末装置５１ａのディスプレイに表示される受信情報処理手段３３ａからの回答を基に、例えば、クイズに当選したことを知ることができたり、所望の商品情報を得ることができる。
【００８１】
なお、このときに、ユーザー端末装置５１ａは、チェックビット番号２２ａと、端末装置番号や顧客ＩＤ等も送信されるものとする。したがって、受信情報処理手段３３ａは、第２のコミュニケーションカード２ａのチェックビット番号２２ａが２度送られてきたときには、受信を拒否できるようになっている。
【００８２】
また、上記受信情報処理手段３３ａは、当該チェックビット番号及び端末装置番号や顧客ＩＤ等により各種の情報処理をすることができる。この受信情報処理手段３３ａによる情報処理は、例えば、顧客管理や、顧客の嗜好動向や、その他、顧客に関する情報についての内容である。
【００８３】
このように本第２の発明の基礎では、第２の情報処理システム３ａは、主映像データに対して、コミュニケーションしたい情報を隠蔽映像データとして合成し合成映像データとして各映像表示認識システム５ａ，５ａ，…に配信し、かつ、ユーザー側では、ユーザー端末装置５１ａのディスプレイ上に表示された主画像９０の中にコミュニケーションしたい情報が隠蔽画像９１として表示され、第２のコミュニケーションカード２ａの光学媒体２３で隠蔽画像９１を顕在化させることにより、ユーザーに所望のコミュニケーションデータを与えることができることになる。
【００８４】
このような本第２の発明の基礎によれば、第２のコミュニケーションカード２ａの光学媒体２３ａには何らの情報も記載されておらず、ユーザー端末装置５１ａのディスプレイ上に表示された隠蔽画像９１が存在するときにのみ、コミュニケーションデータを認識可能になるため、隠蔽秘匿したい情報の秘匿度が高くなる。
【００８５】
また、本第２の発明の基礎によれば、隠蔽映像データは第２の情報処理システム３ａ側で任意に作成できるため、コミュニケーションしたい画像の変更の自由度が高いという利点がある。
【００８６】
さらに、本第２の発明の基礎によれば、動きのある隠蔽秘匿したい画像を表示することができる。
【００８７】
加えて、本第２の発明の基礎によれば、隠蔽秘匿したい画像を効果的に認識可能にすることができる。
【００８８】
［第２の発明変形例］
図７ないし図１０は本第２の発明の基礎の変形例に係るコミュニケーションカードシステムを説明するためのものである。ここで、第２の発明の基礎の変形例とは、特定の位置に透過光学特性を持つ光学媒体を設けたコミュニケーションカード２ｂと、当該特定位置に関連する位置に隠蔽画像を表示する映像表示認識システムとにより、映像表示認識システムのディスプレイに表示された隠蔽画像を顕在化するようにしたシステムである。
【００８９】
図７は、本第２の発明の変形に係るコミュニケーションカードシステムを示すブロック図である。
【００９０】
この図７において、本第２の発明の基礎の変形例に係るコミュニケーションカードシステム１ｂは、大別すると、コミュニケーションカード２ｂと、隠蔽映像発信システム３ｂと、映像表示認識システム５ｂ，５ｂ，…とからなる。前記隠蔽映像発信システム３ｂは、インターネットなど通信を行なうことができる通信系統４ｂを介して各映像表示認識システム５ｂ，５ｂ，…に接続されている。
【００９１】
上記隠蔽映像発信システム３ｂは、図７に示すように、映像発信サーバー３１ｂと、情報設定手段３２ｂと、受信情報処理手段３３ｂとからなる。ここで、映像発信サーバー３１ｂは、第２の発明の基礎と同様に、例えば映像発信サーバーで構成すればよい。また、前記コミュニケーションカード２ｂは、隠蔽画像を目視にて認識可能にする透過光学特性を有する光学媒体を一部に備えた平板形状をしたカードから構成されている。このコミュニケーションカード２ｂの光学媒体は、隠蔽映像データによる隠蔽画像を構成する表示点の位置に合わせた透過部を設けた透過光学特性を有する媒体から構成したものである。
【００９２】
また、上記映像表示認識システム５ｂは、図７に示すように、ユーザーが所有し、あるいは、ユーザーが使用できる状況になっていて、目視不能な隠蔽映像データによる隠蔽画像及び主映像データによる主画像を表示するユーザー端末装置５１ｂを具え、このユーザー端末装置５１ｂに表示された目視不能な隠蔽映像データを目視にて認識可能にする透過光学特性を有する光学媒体を備えたコミュニケーションカード２ｂを、前記ユーザー端末装置５１ｂのディスプレイに表示されている画像にかざすことにより、顕在化できるようになっている。
【００９３】
このユーザー端末装置５１ｂと隠蔽映像発信システム３ｂとの関係は、上記第１の実施の形態や上記第２の実施の形態と同様である。
【００９４】
図８は、本第２の発明の基礎の変形例に係るコミュニケーションカードシステムで使用するコミュニケーションカードの構成を示す平面図である。
【００９５】
このコミュニケーションカード２ｂは、図８に示すように、例えば紙やプラスチックなどの薄い平板状をした基材で構成したシート２１ｂの一部に、所定の面積を有する光学媒体２３ｂを配置してなる構成をしている。前記第１のコミュニケーションカード２ｂのシート２１ｂの表面には、図示しないが必要に応じて画像や文字を印刷しておく。この場合、当該コミュニケーションカード２ｂの表面には、第１の実施の形態や第２の実施の形態と同様に、当該シート２１ｂの表面に、標章（チェックビット番号２２ｂやＵＲＬ２４，２５やその他の情報等）を印刷しておくことが望ましい。
【００９６】
また、上記コミュニケーションカード２ｂの一部に設けられた光学媒体２３ｂは、前記ユーザー端末装置５１ｂのディスプレイに表示された画像のうち、隠蔽映像データによる隠蔽画像を構成する表示点の位置に合わせた透過部を設けた透過光学特性を有する媒体から構成したものである。すなわち、光学媒体２３ｂは、不透明のフィルムやアクリル薄板、あるいは、透明のフィルムやアクリル薄板に光を透過しない塗料を当該フィルムやアクリル薄板の全面に塗布してなるものなどの薄板状のシート２１ｂに、例えば５．０〜０．１［ｍｍ］程度の孔２９，２９，…（これら孔２９，２９，…は、図８では、黒色で示している。）を、隠蔽映像データによる隠蔽画像を構成する表示点の位置に合わせた穿設してなるものである。なお、この光学媒体２３ｂは、穿設した孔２９，２９，…の他に、隠蔽画像を認識するに邪魔にならない程度にダミー孔を設けることにより、秘匿性を高めてもよい。
【００９７】
なお、上記光学媒体２３ｂでは、シート２１ｂに孔２９，２９，…を設けた例で説明したが、例えば透明のフィルムやアクリル薄板に光を透過しない塗料を当該フィルムやアクリル薄板の全面に塗布してなるものなどの薄板状のシート２１ｂの場合では、孔２９，２９，…に代えて、当該孔２９，２９，…部分の塗料をはぎ取って透過部分を構成するようにしてもよい。
【００９８】
このように構成した第２の発明の基礎の変形例に係るコミュニケーションカードシステム、このコミュニケーションカードシステムに使用する隠蔽映像発信システム及び映像表示認識システムの動作を、図７及び図８を基に、図９及び図１０参照して説明する。
【００９９】
ここで、図９は、本第２の発明の基礎の変形例に係る隠蔽映像発信システムが発信する合成映像データを映像表示認識システムの表示装置によって表示した合成画像の例を拡大して示す説明図である。図１０は、本第２の変形例に係る隠蔽映像発信システムが発信する合成映像データを映像表示認識システムのディスプレイによって表示した合成画像の中に隠蔽画面が顕在化した状態を拡大して示す説明図である。
【０１００】
まず、情報発信者側は、あらかじめ定めた処理手順にしたがって、所定のコミュニケーションサービスしたい内容に基づいて、コミュニケーションカード２ｂを作成する。
【０１０１】
ついで、情報発信者側は、当該コミュニケーションカード２ｂの使用の方法に関する情報と、隠蔽画像に関する情報とを、前記情報設定手段３２ｂを介して映像発信サーバー３１ｂに入力しておく。
【０１０２】
情報発信者は、ユーザーに対して、コミュニケーションカード２ｂを配布しておく（図７の符号ｈ参照）。
【０１０３】
ユーザーは、ユーザー端末装置５１ｂのブラウザにＵＲＬを入力し、ユーザー端末装置５１ｂを隠蔽映像発信システム３ｂの映像発信サーバー３１ｂに接続し、情報入力画像データを取り込むとともに、第１のコミュニケーションカード２ｂの使用の仕方のデータを取り込む。ユーザーは、ユーザー端末装置５１ｂのディスプレイに表示された映像やスピーカから聞こえる音声などから、第１のコミュニケーションカード２ｂの使用の仕方を理解する。また、ディスプレイ上の情報入力画像に必要なデータを入力すると、ユーザー端末装置５１ｂは、そのデータを受信情報処理手段３３ｂに送出する。受信情報処理手段３３ｂは、収集情報を受け取ると、映像発信サーバー３１ｂに映像出力データの送出指令を与える。
【０１０４】
しかる後に、映像発信サーバー３１ｂは、送出指令を受けると、映像発信サーバー３１ｂから映像出力データをユーザー端末装置５１ｂに送出を要求する。
【０１０５】
その結果、ユーザー端末装置５１ｂには、前記映像発信サーバー３１ｂから当該隠蔽映像データを主映像データに合成した映像出力データを得ることができる。これにより、上記ユーザー端末装置５１ｂのディスプレイには、図９に示すように、合成映像データ内の主映像データによる主画像９０ｂが表示される。この主画像９０ｂの内部には、当該主画像によって隠蔽された所定の配置の発光点５０，５０，…（当該発光点５０，５０，…は、図９では、黒色で示してある）から構成される隠蔽画像９１ｂが表示されているが、通常、そのままでは目視不能に表示されるようしてある。
【０１０６】
ユーザーは、あらかじめ配布されたコミュニケーションカード２ｂの光学媒体２３ｂの部分を当該主画像の隠蔽画像９１ｂの部分に当接すると、コミュニケーションしようとした情報が、図９に示すように、顕在画像９２ｂとして現れてくることになる。
【０１０７】
この第２の発明の基礎の変形例では、顕在画像９２ｂとしては、例えば「パンダの図形」が現れてくることになる。この顕在画像９２ｂが現れる理由は、図１０に示す主画像の隠蔽画像９１ｂの部分の発光点（図では黒色５０，５０，…で表示されている）の位置と、上記第１のコミュニケーションカード２ｂの光学媒体２３ｂの孔２９，２９，…の位置とが所定の関係に保たれるように設定されていることから、「パンダの図形」が第３の実施の形態では黒色の図形となって顕在化するものである。
【０１０８】
このように上記コミュニケーションカード２ｂによって、ユーザー端末装置５１ｂのディスプレイ上に表示されたコミュニケーションしようとした情報を、ユーザーに認識させることができる。
【０１０９】
ユーザーは、この認識した情報を基に、所定の情報を得ることができる。ユーザーは、当該情報を基に、ユーザー端末装置５１ｂを使用し、前記コミュニケーションカード２ｂに印刷されているコード番号を通信系統４ｂを介して隠蔽映像発信システム３ｂの受信情報処理手段３３ｂに送信し、所定のサービスを受けることができる。なお、上記受信情報処理手段３３ｂは、同一のカード番号が２度送られてきたときには、上記第１の発明の基礎や第２の発明の基礎と同様に、受信を拒否することができる。
【０１１０】
上記受信情報処理手段３３ｂによる顧客情報の処理については、上記第１の発明の基礎と第２の発明の基礎と同様に行なうことができる。
【０１１１】
このように本第２の発明の基礎の変形例では、隠蔽映像発信システム３ｂは、主映像データに対して、コミュニケーションしたい情報を隠蔽映像データとして合成し合成映像データとして各映像表示認識システム５ｂ，５ｂ，…に配信し、かつ、ユーザー側では、ユーザー端末装置５１ｂのディスプレイ上に表示された主画像の中にコミュニケーションしたい情報が隠蔽画像９１ｂとして表示され、上記コミュニケーションカード２ｂの光学媒体２３ｂで隠蔽画像９１ｂを顕在化させることにより、ユーザーに所望のコミュニケーションデータを与えることができることになる。
【０１１２】
このような第２の発明の基礎の変形例によれば、上記第１の発明の基礎や上記第２の発明の基礎と同様に、次のような利点を得ることができる。
【０１１３】
（１）コミュニケーションカード２ｂの光学媒体２３ｂには何らの情報も記載されておらず、ユーザー端末装置５１ｂのディスプレイ上に表示された隠蔽画像９１ｂが存在するときにのみ、コミュニケーションデータを認識可能になるため、隠蔽秘匿したい情報の秘匿度が高くなる。
（２）隠蔽映像データは隠蔽映像発信システム側で任意に作成できるため、コミュニケーションしたい画像の変更の自由度が高い。
（３）動きのある隠蔽秘匿したい画像を表示することができ、かつ、隠蔽秘匿したい画像を効果的に認識可能にすることができる。
【０１１４】
［その他の発明の基礎］
上記第１の発明の基礎、第２の発明の基礎、第２の発明の基礎の変形例は、それぞれオンラインシステムで説明したが、他の発明の基礎としてはオフラインシステムで構成してもよい。すなわち、本発明の他の実施の形態において、隠蔽映像発信システムは、コミュニケーションしたい情報を隠蔽映像データとし主映像データに合成して合成映像データにし、この合成映像データを例えばビデオテープ、ＣＤ−ＲＯＭ、ＣＤ−Ｒ、ＣＤ−ＲＷ、ＤＶＤなどの記憶媒体に格納し、当該記憶媒体を映像表示認識システム側に渡し、これら記憶媒体の映像データを映像表示認識システムのユーザー端末装置で再生し、かつ、あらかじめ頒布されたピースにより、隠蔽画像を顕在化し、コミュニケーション情報をユーザーに与えるようにしてもよい。
【０１１５】
この場合、ユーザーからの情報は、電子メールや通常の郵便を使用するなどすればよい。
【０１１６】
また、上記他の実施の形態において、隠蔽映像発信システムが発信する隠蔽映像データ及びユーザーに頒布するピースは、上記第１の実施の形態ないし第３の実施の形態で使用したものを使用することができる。
【０１１７】
このような他の実施の形態によっても、上記第１の実施の形態ないし第３の実施の形態の利点を得ることができる。
【０１１８】
［第１の発明］
図１１は、本第１の発明の実施の形態に係るコミュニケーションカードシステムを示す図である。ここで、第１の発明とは、既に説明したが、ユーザー端末装置のディスプレイを所定の色調で発色させることにより、第１のコミュニケーションカードの光学媒体内の隠蔽画像を目視にて認識可能な状態にし、顧客に第１のコミュニケーションの光学媒体内にある所定の情報を提供できるようにしたシステムのことをいう。なお、第１の発明の基礎と同一構成要素には、基本的に同一の符号を付して説明する。
【０１１９】
本第１の発明の実施の形態に係るコミュニケーションカードシステム１０１は、図１１に示すように、事業者（情報発信者）１０３側では、各種標章（例えば同一番号のないチェックビット番号（ラッキーナンバー）２２や、ＵＲＬ２４，２５や、カードの名称など）を印刷した第１のコミュニケーションカード２と、第１の情報処理システム３とを備え、また、ユーザー側ではユーザー端末装置５１を備えることにより構成されることになる。なお、コミュニケーションカードシステム１０１ａといったときには、事業者（情報発信者）１０３側において、各種標章（例えば同一番号のないチェックビット番号（ラッキーナンバー）２２や、ＵＲＬ２４，２５や、カードの名称など）を印刷した第１のコミュニケーションカード２と、第１の情報処理システム３とを備えているものも含む。
【０１２０】
さらに説明すると、前記ラッキーナンバー２２や、ＵＲＬ２４，２５を印刷した第１のコミュニケーションカード２と、第１の情報処理システム３とのみからなる構成も含まれる。
【０１２１】
ここで、事業者（情報発信者）１０３が用意する第１のコミュニケーションカード２は、詳細構成は、図２に示すとおりであり、所定のＵＲＬ２４，２５と、所定の文字、図形、記号などの標章２２とが印刷されたシートの一部にコミニュケーション用隠蔽画像が描画された光学媒体２３を設けられている。また、この第１のコミュニケーションカード２の光学媒体２３以外の部分には、例えば、「ステップ１−上記アドレスにアクセス、ステップ２−ホームページにアクセスする、ステップ３−モニタにこのチャンスカードを当てると不思議なことに『当たり』と文字が浮きでてきます。」などと印刷されている。
【０１２２】
また、事業者（情報発信者）１０３側で使用する第１の情報処理システム３は、情報入力画像データが送出可能となっており、かつ、送出後の情報入力画像データに書き込まれた収集情報を受信したときに、前記光学媒体内の隠蔽画像を顕在化させる色調を発色させる映像出力データを送信するとともに、前記取り込んだ収集情報を所定の手法で分類することができるようになっている。なお、既に説明したが、上記第１の情報処理システム３は、事業者（情報発信者）１０３の所有でも他の者の所有でも構わず、要は、前記第１の情報処理システム３に上述した機能が備わっていて、この機能を事業者（情報発信者）１０３が使用できるようになっていればよい。
【０１２３】
また、ユーザー側が使用するユーザー端末装置５１は、各種情報を入力するための情報入力手段、情報入力画像データやその他の表示データを表示する表示手段及び各種制御や情報を処理する処理手段を備えている必要がある。このユーザー端末装置５１も、ユーザー自身の所有でも他の者の所有でも構わず、要は、上記機能をユーザーが使用できればよい。
【０１２４】
このようなコミュニケーションカードシステムの動作を説明する。まず、事業者（情報発信者）１０３は、自己が展開する店舗１０３ａ，…で第１のコミュニケーションカード２をユーザーに配布し（ステップ９０１）、雑誌に封入してユーザーに配布し（ステップ９０２）、あるいは、商品へ同封してユーザーに配布する（ステップ９０３）。なお、この第１のコミュニケーションカード２の配布は、前３項目だけではなく、例えば、カタログに添付したり、ダイレクトメールで送付したり、伝票に添付したりするなどの任意の手段で配布してもよい。
【０１２５】
ユーザーは、ユーザー端末装置５１のブラウザを起動し、当該配布された第１のコミュニケーションカード２に記載されたＵＲＬ２４，２５をユーザー端末装置５１のブラウザに入力する。これにより、前記ユーザー端末装置５１は、前記第１の情報処理システム３にアクセスし（ステップ９０４）、所定の情報入力画面データを前記第１の情報処理システム３から当該ユーザー端末装置５１に取込んでディスプレイに表示させる（ステップ９０５）。これにより、ユーザー端末装置５１のディスプレイには、図１１に示すように、情報入力画像１１０が表示される。
【０１２６】
ユーザーは、入力手段（図示せず）を介してディスプレイ上に表示されている当該情報入力画面に所定の情報を入力し、必要な項目が入力されたところで、情報入力画面の送信ボタンを押すと、当該収集情報は前記ユーザー端末装置５１から第１の情報処理システム３に送出される。なお、この第１の発明の実施の形態において、情報入力画面に対する入力とは、単純に情報を収集するのみだけの意味ではなく、当該情報入力画面に何らかの操作をすることをいい、例えばアンケートの入力、個人データの取得、メールアドレスの取得、クイズの回答、あるいはゲームの操作、商品告知に対するポインター操作など、要は当該情報入力画面に対して何らかの入力操作を行えばよく、以下同じ意味で使用する。
【０１２７】
前記第１の情報処理システム３では、前記収集情報を受信すると、映像出力データを送出する（ステップ９０６）。
【０１２８】
これにより、前記ユーザー端末装置５１のディスプレイには、図１１に示すように、前記映像出力データに基づいた色調の画像１１１をディスプレイ上に発色させる。
【０１２９】
ユーザーは、前記第１のコミュニケーションカード２をディスプレイ上に表示されている画像１１１に当てる（ステップ９０７）。これにより、ユーザーは、第１のコミュニケーションカード２の光学媒体２３内の隠蔽画像が目視にて認識可能な状態になる（図１１の画面１１２）。この実施の形態では、第１のコミュニケーションカード２の光学媒体２３内の隠蔽画面が「大当たり、オメデトウ」と顕在化した状態を示している。
【０１３０】
また、前記第１の情報処理システム３では、当該収集情報を所定の手法で分類整理し、データベースに構築する。また、抽選に当たった場合などには、当該データベースを基に、当該ユーザーにもっとも相応しい景品やサービスなどを提供することができるようにするためのデータを抽出し、事業者（情報発信者）１０３に提供する。このデータにより、事業者（情報発信者）１０３は、当該景品やサービスを用意し、ユーザーに提供できる。
【０１３１】
このように本第１の発明の実施の形態によれば、ユーザーに対して第１のコミュニケーションカード２というコミュニケーションツールにより、ユーザー側には、所定の特典が与えられる他（図１１符号８００）、いろいろなアドバイスやメッセージを受けることができ（図１１符号８０１）、かつ、サイトの積極的活用や購入を促すことができるとともに（符号８０２）、事業者（情報発信者）１０３に対しては、ユーザーに関するデータベースを構築できるほか（図１１の符号８１０）、抽選等の当たったときにでも、ユーザーの好みや個人情報から当該ユーザーにもっとも相応しい景品やサービスなどを提供することができ、これらを通じてユーザー獲得の増加や利用率の増加を図ることができ（図１１の符号８１１）、かつ、データベースを基に顧客に再アプローチができる（図１１の符号８１２）。また、リアルとの融合が図れる（図１１の符号８１３）。
【０１３２】
本第１の発明の実施の形態を使用することにより、事業者にとっては顧客の再来店を促すことができ（図１１の符号８２１）、データベースをもっているので、顧客に適正なプレゼントを提供したり（図１１の符号８２２）、ディスカウントをすることができ（図１１の符号８２３）、これらを通じて商談を成約させることができる（図１１の符号８２４）。
【０１３３】
この第１の発明の実施の形態では、物品販売の例で説明したが、これに限定されることなく、例えばアンケート調査、市場調査に用いることができることはもちろん、使い方によって会員獲得などの分野でも適用できることはいうまでもない。
［第２の発明］
図１２は、本第２の発明の実施の形態に係るコミュニケーションカードシステムを示す図である。ここで、第２の発明とは、既に説明したが、ユーザー端末装置で受信した主映像データを前記ディスプレイに表示すると同時に隠蔽映像データを目視不能状態で前記ディスプレイに表示し、前記ディスプレイ上に表示されている隠蔽画像を前記第２のコミュニケーションカードで目視にて認識可能な状態にし、ユーザーに第２のコミュニケーションを介して所定の情報を提供でるようにしたシステムのことをいう。なお、第１の発明の基礎、第１の発明及び第２の発明の基礎と同一構成要素には、基本的に同一の符号を付して説明する。
【０１３４】
本第２の発明の実施の形態に係るコミュニケーションカードシステム２０１は、図１２に示すように、事業者（情報発信者）１０３側が、標章（具体的には、同一番号のないラッキーナンバー２２や、ＵＲＬ２４，２５や、カードの名称や、カードの説明など）を印刷した第２のコミュニケーションカード２ａと、第２の情報処理システム３ａとを備え、また、ユーザー側ではユーザー端末装置５１ａを備えることにより、構成されることになる。なお、コミュニケーションカードシステム２０１というときは、事業者（情報発信者）１０３側において、標章（具体的には、同一番号のないラッキーナンバー２２や、ＵＲＬ２４，２５や、カードの名称や、カードの説明など）を印刷した第２のコミュニケーションカード２ａと、第２の情報処理システム３ａとを備えているものも含む。
【０１３５】
ここに、事業者（情報発信者）１０３が用意した第２のコミュニケーションカード２ａは、既に詳細に説明したが、所定の文字、図形、記号などの標章（例えばラッキーナンバー２２ａや、所定のＵＲＬ２４，２５）が印刷されたシートの一部に隠蔽画像を目視にて認識可能にする透過光学特性を有する光学媒体２３ａを設けている。また、第２のコミュニケーションカード２ａには、他の標章として「当該カード２ａに印刷されたＵＲＬに接続すると、ユーザー端末装置５１のディスプレイに画像が現れて、それに当該カード２ａを当てると絵や文字が現れ」旨の印刷もしておく。
【０１３６】
また、事業者（情報発信者）１０３が用意した前記第２の情報処理システム３ａは、情報入力画像データが送出可能となっており、かつ、送出後の情報入力画像データに書き込まれた収集情報を受信したときに、表示用の主映像データ中に顧客に提示する隠蔽映像データを合成し、前記主映像データの画像のみを目視可能状態でかつ前記隠蔽映像データを目視不能状態で表示させる映像出力データを送信できるとともに、前記取り込んだ収集情報を所定の手法で分類することができる機能を有している。この第２の情報処理システム３ａは、事業者（情報発信者）１０３が所有していても、あるいは、事業者（情報発信者）１０３が所有していなくても、その機能を使用できる状態にあればよい。
【０１３７】
また、ユーザーが用意した映像表示認識システム５は、各種情報を入力するための情報入力手段（キーボード）と、情報入力画像データやその他の表示データを表示する表示手段（ディスプレイ）と、各種制御や情報を処理する処理手段とを備えたものである。この映像表示認識システム５は、ユーザー自身が所有しているものでも、あるいは、ユーザー自身が所有していなくとも他人の所有のものを使用できる状態にあればよい。
【０１３８】
このようなコミュニケーションカードシステムを例えば会員向けに使用する場合について説明する。
【０１３９】
まず、事業者（情報発信者）１０３は、第２のコミュニケーションカード２ａを多数用意する。
【０１４０】
ユーザーが事業者（情報発信者）１０３が設置する店舗１０３ａやその他関連する店舗１０３ａに行って、アンケートや入会申し込みをすると、事業者（情報発信者）１０３から登録会員カードとしての第２のコミュニケーションカード２ａが送られてくる（ステップ９１１）。
【０１４１】
当該会員証としての第２のコミュニケーションカード２ａには、「例えば、第２のコミュニケーションカード２ａに記載されているＵＲＬ２４，２５にアクセスし、ラッキーナンバーを入力すれば、素敵なプレゼントが当たります」などと印刷されているものとする。なお、前記第２のコミュニケーションカード２ａのラッキーナンバー２２ａは、重複がないものとする。
【０１４２】
ユーザーは、ユーザー端末装置５１ａのブラウザを起動し、第２のコミュニケーションカード２ａのＵＲＬ２４またはＵＲＬ２５をブラウザに入力し、所定の操作を行う。
【０１４３】
すると、ユーザー端末装置５１ａは、第２の情報処理システム３ａに接続され、例えば「新商品案内」、「新キャンペーンの案内」、「新サービスの登録」などの情報と、情報入力画像データとを得ることができる（ステップ９１２）。
【０１４４】
また、ユーザー端末装置５１ａは、「新商品案内」、「新キャンペーンの案内」、「新サービスの登録」などの情報を音声や影像で流し、あるいは、情報入力画面１２１をディスプレイに表示する（ステップ９１３）。
【０１４５】
また、ユーザーは、情報入力画像１２１に例えばラッキーナンバー２２ａを入力し、送信ボタンを操作する。なお、この実施の形態では、ラッキーナンバー２２ａを入力する例で説明するが、これに限定されるものではなく、第１の発明とおなじく各種の入力操作でもよい。
【０１４６】
この収集情報（ラッキーナンバー）は、ユーザー端末装置５１ａから第２の情報処理システム３ａに送られる。
【０１４７】
前記第２の情報処理システム３ａは、収集情報（ラッキーナンバー）が送られてくると、抽選処理を実行して、その抽選結果を隠蔽映像データに形成し、主影像データに重複させてユーザー端末装置５１ａに送信する。
【０１４８】
前記ユーザー端末装置５１は、前記第２の情報処理システム３ａから送られてくる映像出力データを受信し、主映像データを前記ディスプレイに表示すると同時に隠蔽映像データを目視不能状態で前記ディスプレイに表示する（ステップ９１４）。これにより、前記ディスプレイには、図１２に示すように、隠蔽映像データによる隠蔽画像１２２が表示されている。
【０１４９】
前記ユーザー端末装置５１ａのディスプレイに表示されている隠蔽画像１２２に対して、第２のコミュニケーションカード２ａを当てる（ステップ９１５）。すると、隠蔽画面１２２が前記第２のコミュニケーションカード２ａによって顕在化し、図１２に示すように、顕在画面１２３が得られる。この顕在画面１２３は、図１２では、「大当たり、オメデトウ」と二段に表示された例として示されている。
【０１５０】
このように本第２の発明の実施の形態によれば、ユーザーに対して第２のコミュニケーションカード２ａというコミュニケーションツールにより、ユーザー側には、所定の特典が与えられる他（図１２の符号８００）、いろいろなアドバイスやメッセージを受けることができ（図１２の符号８０１）、かつ、サイトの積極活用・購入を促したり・購入を促すことができるとともに（図１２の符号８０２）、事業者（情報発信者）１０３に対しては、ユーザーに関するデータベースを構築できるほか、抽選等のあたったときにでも、ユーザーの好みや個人情報から当該ユーザーにもっとも相応しい景品・サービスなどを提供でき、これらを通じてユーザー獲得の増加や利用率の増加を図ることができる（図１２の符号８１１）、かつ、データベースを基に顧客に再アプローチができ（図１２の符号８１２）。また、リアルとの融合が図れる（図１２の符号８１３）。
【０１５１】
本第２の発明の実施の形態を使用することにより、事業者にとっては顧客の再来店を促すことができ（図１２の符号８２１）、データベースをもっているので、顧客に適正なプレゼントを提供したり（図１２の符号８２２）、ディスカウントをすることができ（図１２の符号８２３）、これらを通じて商談を成約させることができる（図１２の符号８２４）。
【０１５２】
また、このように本第２の発明の実施の形態に使用することにらより、長期的なキャンペーンが可能であり、会員登録後も積極的にアクセスさせることができ、かつ、デマンドチェーンが確立し、相当数の会員のいるアクティブなサイトや他の事業者からの広告、協賛費の獲得が可能になる。
【０１５３】
この第２の発明の実施の形態では、会員証に関する例で説明したが、これに限定されることなく、例えばアンケート調査、市場調査に用いることができることはいうまでもない。
（第３の発明）
図１３は、本第３の発明の実施の形態に係るコミュニケーションカードシステムを示す図である。ここで、第３の発明とは、第１のコミュニケーションカードと、第２のコミュニケーションカードとを混在して使用し、かつ、ユーザー端末装置のディスプレイに対して、第１のコミュニケーションカードの使用のときには所定の色調で発色させ、第２のコミュニケーションカードのときには隠蔽画像を表示させることにより、第１のコミュニケーションカードの光学媒体内の隠蔽画像を目視にて認識可能な状態にし、あるいは、ディスプレイに表示されている隠蔽画像を第２のコミュニケーションカードの光学媒体で目視にて認識可能な状態にし、顧客に対して第１のコミュニケーション光学媒体内にある所定の情報あるいはディスプレイ上に表示された隠蔽画像内にある所定の情報を提供できるようにしたシステムのことをいう。なお、第１の発明の基礎、第１の発明、第２の発明の基礎及び第２の発明と同一構成要素には、基本的に同一符号を付して説明する。
【０１５４】
本第３の発明の実施の形態に係るコミュニケーションカードシステム３０１は、図１３に示すように、事業者（情報発信者）１０３側では、各種標章（例えば同一番号のないチェックビット番号（ラッキーナンバー）２２や、ＵＲＬ２４，２５や、カードの名称、カードの説明など）を印刷した第１のコミュニケーションカード２及び第２のコミュニケーションカード２ａと、第３の情報処理システム３ｃとを備え、また、ユーザー側ではユーザー端末装置５１を備えることにより構成されることになる。また、この第３の発明の実施例では、事業者（情報発信者）１０３側では、確認カード２ｃを備えるものとする。なお、コミュニケーションカードシステム３０１といったときには、事業者（情報発信者）１０３側において、各種標章（例えば同一番号のないチェックビット番号（ラッキーナンバー）２２や、ＵＲＬ２４，２５や、カードの名称、カードの説明など）を印刷した第１のコミュニケーションカード２及び第２のコミュニケーションカード２ａと、第３の情報処理システム３ｃとを備えたものを含む。
【０１５５】
さらに説明すると、第１のコミュニケーションカード２及び第２のコミュニケーションカード２ａは、既に説明しているので、説明を省略する。また、確認カード２ｃとは、第２のコミュニケーションカード２ａの光学媒体２３ａの部分のみから構成されたものである。
【０１５６】
また、上記第３の情報処理システム３ｃは、情報入力画像データが送出可能となっており、かつ、送出後の情報入力画像に書き込まれた収集情報を受信したときに、前記光学媒体内の隠蔽画像を顕在化させる色調を発色させる映像出力データ、または、表示用の主映像データ中にコミュニケーションしようとする隠蔽映像データを合成し、前記主映像データの画像のみを目視可能状態でかつ前記隠蔽映像データを目視不能状態で表示させる映像出力データを送信するとともに、前記取り込んだ収集情報を所定の手法で分類することができる機能を備えている。
【０１５７】
また、ユーザー端末装置５１は、各種情報を入力するための情報入力手段（キーボード）、情報入力画像データやその他の表示データを表示する表示手段（ディスプレイ）及び各種制御や情報を処理する処理手段を備えている。ここでは、ユーザー端末装置５１としてカラーディスプレイを備えた携帯電話機を使用するものとする。
【０１５８】
このようなコミュニケーションカードシステム３０１の動作について以下に説明する。このコミュニケーションカードシステム３０１を宅配サービスに適用した例で説明する。
【０１５９】
まず、事業者（情報発信者）１０３は宅配サービスの経営をしており、最初の注文を受けると、注文品をユーザーに届けるとともに、注文品と一緒に第１のコミュニケーションカード２を配布する（ステップ９３１）。
【０１６０】
ユーザーは、第１のコミュニケーションカード２に記載されているＵＲＬ２４，２５を基にユーザ端末装置（携帯電話機）５１を事業者（情報発信者）１０３の第３の情報処理システム３ｃにアクセスし、所定の入力画面データを前記第３の情報処理システム３ｃから当該ユーザ端末装置（携帯電話機）５１に取込んでディスプレイ上に表示させ、キーボードから当該情報入力画面に所定の情報を入力する。当該収集情報は前記第３の情報処理システム３ｃに送られる。前記第３の情報処理システム３ｃは、収集情報を受信すると、所定の色調を発色させる影像データをユーザ端末装置（携帯電話機）５１に送信する。
【０１６１】
前記ユーザ端末装置（携帯電話機）５１は、前記第３の情報発信処理装置からの映像出力データに基づいた色調をディスプレイ上に発色させる。ユーザーは、前記第１のコミュニケーションカード２をディスプレイ上に接触させることにより第１のコミュニケーションカード２の光学媒体２３内の隠蔽画像を目視にて認識する。ここでは、当該光学媒体２３内の隠蔽画像は、「５００円割引します」と表示されていたものとする。
【０１６２】
ユーザーは、宅配の２回目の電話注文をする（ステップ９３２）。宅配業者である事業者（情報発信者）１０３は、配達員に確認カード２ｃを持たせ、宅配にゆく（ステップ９３３）。配達員は、注文品をユーザーに渡すとともに、第１のコミュニケーションカード２を確認カード２ｃで確認する（ステップ９３３）。配達員は、確認カード２ｃで確かに「５００円割引します」という表示を確認すると、５００円引きした代金を受け取る。このときに、第１のコミュニケーションカード２を受取り、それに代えてオリジナル会員カードとして第２のコミュニケーションカード２ａを渡す（ステップ９３３）。
【０１６３】
ユーザーは、ユーザ端末装置（携帯電話機）５１で３回目の電話注文をする（ステップ９３４）。このときに、オリジナル会員カードである第２のコミュニケーションカード２ａのラッキーナンバーやその他必要なデータを入力する。この入力した情報を第３の情報処理システム３ｃに送ると、ユーザ端末装置（携帯電話機）５１のディスプレイには、隠蔽画面が表示される。
【０１６４】
ユーザーは、第２のコミュニケーションカード２ａでユーザ端末装置（携帯電話機）５１のディスプレイ上に表示されている隠蔽画面を確認する。すると、隠蔽画面には、例えば「７００円割引します」と表示されているものとする。
【０１６５】
宅配業者である事業者（情報発信者）１０３は、配達員に確認カード２ｃを持たせ、注文品を届ける。このときに、ユーザ端末装置（携帯電話機）５１のディスプレイに隠蔽画面を表示してもらう。宅配業者の配達員は、ディスプレイ上の隠蔽画面を確認カード２ｃで確認し、確かに「７００円割引します」と表示されていることを確認し、７００円割り引いた代金を徴収する。
【０１６６】
第４回の注文も第３回の注文のときと同じように処理をする。
【０１６７】
なお、この第３の発明の実施の形態に係るコミュニケーションカードシステム３０１では、第３の情報処理システム３ｃが、次のような処理も実行している。すなわち、第３の情報処理システム３ｃは、会員登録、新商品の告知、新サービスの告知、その他の告知や、アンケートの実施やそのアンケートの結果を所定の分類方法で分類することや、ゲームの提供や、当たり外れの抽選処理を実行している。図では、第３の情報処理システム３ｃはサーバーとして表示されていて、その処理内容などが図右上に記載されている。
（第３の発明の変形例）
図１４は、本第３の発明の変形例に係るコミュニケーションカードシステムを示す図である。
【０１６８】
この第３の発明の変形例に係るコミュニケーションカードシステム４０１が、第３の発明の実施の形態に係るコミュニケーションカードシステム３０１と異なるところは、第３の情報処理システム３ｃから送信する隠蔽画面データに加えて、顕在画面である確認終了ボタン及び引換完了ボタンの表示データを作成し、ユーザ端末装置（携帯電話機）５１に送信し、かつ、ユーザ端末装置５１と第３の情報処理システム３ｃとの間で、確認終了ボタン及び引換完了ボタンが選択され押されたことを通信できるようにした点に特徴があり、他の構成は第３の発明の実施の形態と同一である。
【０１６９】
すなわち、３回目の注文のときに、ユーザ端末装置（携帯電話）５１から注文をし、その他必要な情報（例えばラッキーナンバー）などを入力すると、第３の情報処理システム３ｃでは、抽選処理を実行し、その結果を隠蔽画面にしてユーザ端末装置（携帯電話）５１に送ってくる。
【０１７０】
すると、ユーザ端末装置（携帯電話）５１のディスプレイ上には、隠蔽画面５５と、確認終了ボタン５６と、注意文５７と、引換え完了ボタン５８とが表示されている。
【０１７１】
宅配業者である事業者（情報発信者）１０３の配達員は、ユーザ端末装置（携帯電話）５１のディスプレイ上に表示されている隠蔽画面を確認カード２ｃで当てるなどして確認すると、キーボードを操作して確認ボタン５６を押下する。そして、当たった景品あるいは値引きをしたときに、キーボードを操作して引換完了ボタン５８を押下する。これらの情報は、ユーザ端末装置（携帯電話）５１から第３の情報処理システム３ｃに送られる。これにより、第３の情報処理システム３ｃでは、ラッキーナンバーを手がかりに、当たったユーザーに対するサービスの確認や完了をすることができ、二重三重にサービスをすることがなくなり、かつ、ユーザーも確実にサービスを受けることができる。
【０１７２】
以上説明したように本第３の発明の実施の形態の変形に係るコミュニケーションカードシステム４０１によれば、第３の情報処理システム３ｃでは、ラッキーナンバーを手がかりに、当たったユーザーに対するサービスの確認や完了をすることができ、宅配業者側では二重三重にサービスをすることがなくなり、また、ユーザー側でも確実にサービスを受けることができる利点がある。
【０１７３】
【発明の効果】
以上説明したように、請求項１及び２記載の発明によれば、ユーザーに対して第１のコミュニケーションというコミュニケーションツールにより、ユーザー側には、所定の特典が与えられる他、いろいろなアドバイスを受けることができ、かつ、サイトの積極活用・購入を促すことができるとともに、事業者（情報発信者）に対しては、ユーザーに関するデータベースを構築できるほか、抽選等のあたったときにでも、ユーザーの好みや個人情報から当該ユーザーにもっとも相応しい景品・サービスなどを提供でき、これらを通じてユーザー獲得の増加を図ることができる。
【０１７４】
請求項３及び４記載の発明によれば、ユーザーに対して第２のコミュニケーションカードというコミュニケーションツールにより、ユーザー側には、所定の特典が与えられる他、いろいろなアドバイスを受けることができ、かつ、サイトの積極活用・購入を促すことができるとともに、事業者（情報発信者）に対しては、ユーザーに関するデータベースを構築できるほか、抽選等のあたったときにでも、ユーザーの好みや個人情報から当該ユーザーにもっとも相応しい景品・サービスなどを提供でき、これらを通じてユーザー獲得の増加を図ることができる。
【０１７５】
請求項５及び６記載の発明によれば、請求項１ないし４記載の発明の効果に加えて、第３の情報処理システムでは、ラッキーナンバーを手がかりに、当たったユーザーに対するサービスの確認や完了をすることができ、事業者側では二重三重にサービスをすることがなくなり、また、ユーザー側でも確実にサービスを受けることができる利点がある。
【図面の簡単な説明】
【図１】本発明の第１の実施の形態に係るネットコミュニケーションシステムを示すブロック図である。
【図２】本発明の第１の実施の形態に係るネットコミュニケーションシステムで使用するコミュニケーションカードの構成を示す平面図である。
【図３】本発明の第２の実施の形態に係るネットコミュニケーションシステムを示すブロック図である。
【図４】本発明の第２の実施の形態に係るネットコミュニケーションシステムで使用するピースの構成を示す平面図である。
【図５】本発明の第２の実施の形態に係る隠蔽映像発信システムが発信する合成映像データを映像表示認識システムの表示装置によって表示した合成画像の例を示す説明図である。
【図６】本発明の第２の実施の形態に係る隠蔽映像発信システムが発信する合成映像データを映像表示認識システムの表示装置によって表示した合成画像の中に隠蔽画面が顕在化した状態を示す説明図である。
【図７】本発明の第３の実施の形態に係るネットコミュニケーションシステムを示すブロック図である。
【図８】本発明の第３の実施の形態に係るネットコミュニケーションシステムで使用するピースの構成を示す平面図である。
【図９】本発明の第３の実施の形態に係る隠蔽映像発信システムが発信する合成映像データを映像表示認識システムの表示装置によって表示した合成画像の例を拡大して示す説明図である。
【図１０】本発明の第３の実施の形態に係る隠蔽映像発信システムが発信する合成映像データを映像表示認識システムの表示装置によって表示した合成画像の中に隠蔽画面が顕在化した状態を拡大して示す説明図である。
【図１１】本第１の発明の実施の形態に係るコミュニケーションカードシステムを示す図である。
【図１２】本第２の発明の実施の形態に係るコミュニケーションカードシステムを示す図である。
【図１３】本第３の発明の実施の形態に係るコミュニケーションカードシステムを示す図である。
【図１４】本第３の発明の変形例に係るコミュニケーションカードシステムを示す図である。
【符号の説明】
１，１ａ，１ｂ，１０１，２０１，３０１，４０１　コミュニケーションカードシステム
２，２ａ，２ｂ　コミュニケーションカード
３　第１の情報処理システム
３ａ　第２の情報処理システム
３ｃ　第３の情報処理システム
４，４ａ，４ｂ　通信系統
５，５ａ，５ｂ　映像表示認識システム
２１，２１ａ，２１ｂ　シート
２２，２２ａ，２２ｂ　ラッキーナンバー（チェックビット番号）
２３，２３ａ，２３ｂ　光学媒体
２４，２５　ＵＲＬ
２９　　孔
３１，３１ａ，３１ｂ　映像発信サーバー
３２，３２ａ，３２ｂ　情報設定手段
３３，３３ａ，３３ｂ　受信情報処理手段
５１，，５１ａ，５１ｂ　ユーザー端末装置
５５　隠蔽画面
５６　確認終了ボタン
５７　注意文
５８　引換完了ボタン
【図１】
2004078748.tif 000003
【図２】
2004078748.tif 000004
【図３】
2004078748.tif 000005
【図４】
2004078748.tif 000006
【図５】
2004078748.tif 000007
【図６】
2004078748.tif 000008
【図７】
2004078748.tif 000009
【図８】
2004078748.tif 000010
【図９】
2004078748.tif 000011
【図１０】
2004078748.tif 000012
【図１１】
2004078748.tif 000013
【図１２】
2004078748.tif 000014
【図１３】
2004078748.tif 000015
【図１４】
2004078748.tif 000016